(57)【要約】【課題】  短期間で広範囲から多数の白蟻をおびき寄せて確実に駆除する効率的な白蟻防除装置を提供する。【解決手段】筒状をなし、その底部１および周面部に白蟻侵入用の多数の孔２を設けてなる床下等への設置用容器３の内部に、白蟻の分泌するフェロモンを主成分とする白蟻誘引剤４を挿入し、その上に餌木５を挿入し、さらに餌木の上に白蟻殺虫剤をロール紙に含浸させてなる白蟻駆除部材６を挿入する。容器３の上端開口部を蓋７で密閉する。【選択図】  図１
0003115318.tif 000002
【実用新案登録請求の範囲】
【請求項１】
筒状をなし、その底部および周面部に白蟻侵入用の多数の孔を設けた容器内に白蟻誘引剤を挿入し、該白蟻誘引剤の上に餌木を挿入し、さらに該餌木の上に白蟻駆除部材を挿入して、容器の上端開口部を蓋で密閉してなる白蟻防除装置。
【請求項２】
容器底部が、地中に差し込み容易な尖った形状をなす請求項１に記載の白蟻駆除装置。
【請求項３】
容器底部が、地上に立設容易なフランジ部を備える請求項１に記載の白蟻防除装置。
【請求項４】
白蟻誘引剤が、白蟻の分泌するフェロモンを主成分とするものである請求項１、２又は３に記載の白蟻駆除装置。
【考案の詳細な説明】
【技術分野】
【０００１】
本考案は、白蟻を積極的に誘引しておびき寄せる白蟻予防及び駆除の両方に有効な白蟻防除装置に関するものである。
【背景技術】
【０００２】
白蟻防除の方法としては、（１）床下にもぐって薬剤を散布する方法や、最近では、（２）餌木と殺虫剤を収容した容器を地中に埋設し、該容器内に白蟻をおびき寄せて白蟻防除を行う方法も行われている（特許文献１参照）。
【０００３】
【特許文献１】特開２００４−１０７２１５号公報
【考案の開示】
【考案が解決しようとする課題】
【０００４】
上記（１）の白蟻防除方法においては、薬剤が、これを散布する作業者に与える健康上の問題や、散布された薬剤が地中を侵食して環境面に与える問題、更には床下等の狭い場所で作業がしにくいといった問題があった。この（１）の防除方法は、存在する白蟻を殺虫するか、以後、白蟻が進入してこないように防御しようとするものである。
【０００５】
一方、（２）の白蟻防除方法は、白蟻の好む餌木を殺虫容器に入れておき、餌木を目指して容器内に侵入した白蟻を殺虫する方法である。しかし、この方法は、白蟻の存在する位置と容器を設置する位置との、双方の距離関係が不明確であることから、容器を設置しても、白蟻が餌木の存在に気づきにくく、容器内侵入までに長期間を要して、効率的な白蟻の駆除ができないという課題があった。
【０００６】
本考案は、前記したような従来の問題を解決するためになされたものであって、白蟻誘引剤のフェロモンによって積極的に広範囲の白蟻を多数おびき寄せて、防除及び駆除する極めて効率的な白蟻防除装置の提供を目的とする。
【課題を解決するための手段】
【０００７】
上記目的を達成する本考案の白蟻防除装置は、筒状をなし、その底部および周面部に白蟻侵入用の多数の孔を設けた容器内に白蟻誘引剤を挿入し、該白蟻誘引剤の上に餌木を挿入し、さらに該餌木の上に白蟻駆除部材を挿入して、容器の上端開口部を蓋で密閉してなる白蟻防除装置を要旨とする。
【０００８】
この場合、本考案装置における筒状の容器は、その底部を地中に埋め込み容易な尖った形状とするか、あるいは地上に立設容易なフランジ部（鍔部）を備えた形状とするのがよい。本考案装置に挿入する白蟻誘引剤とは、白蟻の分泌するフェロモンを主成分とするものをいう。本考案でいう白蟻とは、代表的にはヤマト白蟻やイエ白蟻を指すが、これに限定するものではない。また、これらの白蟻であれば、その生態すなわち、女王、王、羽蟻、副女王、副王、兵蟻、職蟻、老幼虫、初生幼虫等にかかわらず全て駆除可能である。
【考案の効果】
【０００９】
上記構成よりなる本考案の白蟻防除装置によれば、これを床下等に埋設又は立設すると、当該装置の容器内下部に挿入してある白蟻誘引剤（フェロモン）に誘引されて多数の白蟻が容器周りに集まり、容器内の餌木を目指して、容器周囲の多数の孔より容器内に侵入する。容器内に侵入した白蟻が、餌木を喰い進んでゆくと、その上部にある白蟻駆除剤を含浸させた白蟻駆除部材に接触又は摂食して、殺虫駆除される。
【００１０】
このように、本考案の白蟻防除装置は、その駆除容器内に白蟻誘引剤を挿入しておくことにより、そのフェロモン効果で多数の白蟻が自然に駆除容器内に誘引され、殺虫されるようにしたから、防除及び駆除効率がきわめて高い。しかも、当該装置を１個設置することで広範囲の白蟻を駆除できるから、コスト的に安価であり、設置作業も楽である。
【考案を実施するための最良の形態】
【００１１】
以下、本考案の実施形態を図面に基づいて説明する。
【実施例１】
【００１２】
図１及び図２は、いずれも本考案を実施した白蟻防除装置の一例であり、筒状をなす容器３の内部には、下から順に白蟻誘引剤４、餌木５、白蟻駆除部材６が挿入されている。これらの挿入口である容器３の上端開口部は、蓋７で密閉してある。
【００１３】
すなわち、容器３については、材質はプラスチック樹脂を用いることが多いが、ある程度の硬度と強度を有するものであればよく、特に限定しない。また、形状については、円筒状や角筒状のものがよく、その底部１は、図１のように、鋭角に尖らせて地中又は土間コンクリート中に差し込み易くしたり、あるいは図２のように、地面上に立設し易いように、底部１周囲にフラットなフランジ部（鍔部）８を形成しておくのがよい。該容器３の底部１および周面部には、多数の孔２が設けてある。これらの孔２は、白蟻誘引剤４の発散するフェロモンを容器周囲に放出するとともに、該フェロモンにより誘引された白蟻を容器内に侵入させるためのものである。
【００１４】
上記容器３内の最下部に挿入された白蟻誘引剤４は、白蟻の分泌するフェロモンを主成分とするものであり、容器３の内径にほぼ等しい直径のコイン状に形成されている。図１の例では、この白蟻誘引剤４が１個挿入してあり、図２の例では、白蟻誘引剤４が並列に２個挿入してあるが、使用個数はこれに限るものではない。
【００１５】
白蟻誘引剤４の上部に挿入された餌木５は、白蟻が好んで食べるセルロース含有材料、特にカナダ産のアスペン木材を使用するのが好ましく、筒状の容器３内に嵌合する所要高さの円柱状に形成されている。
【００１６】
餌木５の上部に挿入された白蟻駆除部材６は、容器３内に嵌合する大きさの円筒状に巻かれたロール紙に、白蟻殺虫剤を含浸させて形成したものである。蓋７は、上記した白蟻誘引剤４、餌木５、白蟻駆除部材６の挿入後に、容器３内を密閉するものであり、樹脂で形成されている。
【００１７】
本考案にしたがって白蟻防除装置を制作した。すなわち、プラスチック樹脂により外径５５φ、肉厚２ｍｍ、内径５１φで長さ２００ｍｍの底部１の尖った円筒状容器３を制作し、その底部１および周面部に多数の孔２を形成した。各孔２は、３φの大きさで、底部１周面には４個、胴部周面には、８８個（縦８列×１１個）形成した。
【００１８】
上記の容器３内部に、その上端開口部より、先ず白蟻誘引剤４を挿入した。この白蟻誘引剤４は、直径４８φ、厚さ５ｍｍのコイン状に形成してあり、これを１個挿入した。次いで、白蟻誘引剤４の上に餌木５を挿入した。この餌木５は、アスペン木材を直径４２φ、長さ１０５ｍｍの円柱状に形成したものである。続いて、餌木５の上に、直径４２φ、長さ４０ｍｍの円筒状に形成した繊維質ロール紙製の白蟻駆除部材６を挿入した。最後に、容器３の上端開口部を蓋７で密閉した。
【００１９】
上記構成よりなる本考案装置の白蟻防除効果をテストした。すなわち、横４ｍ、縦３ｍの面積の供試地面を用意し、その対角線の中心部にイエ白蟻７５０匹を放つ。次いで、上記供試地面に本考案の白蟻防除装置を横方向に３０ｃｍ間隔で１３個、縦方向に３０ｃｍ間隔で１０個、計２３個を縦横クロス状に配置し、いずれも尖った底部１を地中に埋め込む姿で設置する。そうして、７日間放置し、設置した２３個の装置内に侵入したイエ白蟻の数を１日毎に観察するのである。
【００２０】
比較例として、白蟻誘引剤４を内部に挿入しない上記同様の白蟻防除装置２３個を、上記同様の条件で供試地面に設置し、７日間放置して、これらの装置内に侵入したイエ白蟻の数を１日毎に観察することとした。
【００２１】
結果は、表１に示すように、本考案の白蟻防除装置では、７日目にして供試地面に設置した２３個全ての装置にイエ白蟻の侵入が見られた。これに対して、比較例の装置では、イエ白蟻の侵入が確認された装置は、７日目でも９個と約４割程度にとどまっていた。これにより、本考案の白蟻防除装置が、設置場所の如何を問わず、白蟻を短期間で確実に装置内に誘引し、駆除するという優れた効力を有していることが判明した。
【００２２】
【表１】
0003115318.tif 000003
【図面の簡単な説明】
【００２３】
【図１】本考案に係る白蟻防除装置を説明する縦断側面図である。
【図２】本考案に係る白蟻防除装置の他の実施例を説明する縦断側面図である。
【符号の説明】
【００２４】
１  容器底部
２  孔
３  容器
４  白蟻誘引剤
５  餌木
６  白蟻駆除部材
７  蓋
８  フランジ部（鍔部）
【図１】
0003115318.tif 000004
【図２】
0003115318.tif 000005